(57)【要約】【課題】利用頻度等の属性の異なる複数種のアイコン等のオブジェクトに対するフォーカス操作の操作性を向上させる。【解決手段】携帯電話のディスプレイ１１０の主表示領域１１１に表示されるアイコン１１２と、ステータスペイン１１３に表示されるステータスアイコン１１４の各々に対して、それぞれ異なるフォーカスモードＭ１およびステータスペインフォーカスモードＭ２を設け、両者で独立なフォーカス操作を可能にした。使用頻度の高いアイコン１１２と、使用頻度の低いステータスアイコン１１４とを一つのフォーカスモードに混在させることに起因する操作性の低下を防止できるとともに、ステータスアイコン１１４にフォーカスしてバルーン１１６による説明文１７３の表示を実現できる。【選択図】図１
2007188265.tif 000002
【特許請求の範囲】
【請求項１】
表示手段と、
前記表示手段の主表示領域に表示される第１オブジェクト、および前記表示手段の状態表示領域に出力される第２オブジェクトの各々に対して選択的にフォーカスする複数の異なるフォーカスモードを設定する画面制御手段と、
を含むことを特徴とする情報処理装置。
【請求項２】
請求項１記載の情報処理装置において、
前記画面制御手段は、前記状態表示領域の前記第２オブジェクトに対する前記フォーカスモードでは、フォーカスされた前記第２オブジェクトに関する説明の表示を行うことを特徴とする情報処理装置。
【請求項３】
請求項１記載の情報処理装置において、
前記画面制御手段は、前記状態表示領域の前記第２オブジェクトに対する前記フォーカスモードでは、フォーカスされた前記第２オブジェクトに対する選択操作によって当該第２オブジェクトに関連する機能の設定または起動を行うことを特徴とする情報処理装置。
【請求項４】
第１オブジェクトが表示される主表示領域、および第２オブジェクトが表示される状態表示領域を表示手段に出力する第１ステップと、
前記主表示領域の前記第１オブジェクトおよび前記状態表示領域の前記第２オブジェクトのいずれか一方にフォーカスモードを切り替える第２ステップと、
を含むことを特徴とする情報処理装置の制御方法。
【請求項５】
情報を表示する表示手段を含む情報処理装置の制御プログラムであって、
第１オブジェクトが表示される主表示領域、および第２オブジェクトが表示される状態表示領域を前記表示手段に出力する第１ステップと、
前記主表示領域の前記第１オブジェクトおよび前記状態表示領域の前記第２オブジェクトのいずれか一方にフォーカスモードを切り替える第２ステップと、
を前記情報処理装置に実行させることを特徴とする制御プログラム。
【発明の詳細な説明】
【技術分野】
【０００１】
本発明は、情報処理装置、情報処理装置の制御方法、制御プログラムに関し、たとえば、携帯電話、携帯情報端末等の情報処理装置における待受画面等の表示制御に適用して有効な技術に関する。
【背景技術】
【０００２】
たとえば、携帯電話の画面最上部には、ステータスペインと呼ばれる領域が設けられており、電波状況、電池状況、メール受信状況などの情報をピクトグラフやアイコン（絵文字）等のオブジェクトを用いて表示している。以降、本明細書では、ピクトグラフやアイコン等のオブジェクトを総称してアイコンと記す。
【０００３】
一部の携帯電話では、メール受信、不在着信などがあった場合には、ステータスペインとは別に、待受画面にアイコンなどを表示し、そこにフォーカスをあて、選択することで、受信メール一覧表示や、不在着信一覧表示を行うことができる。
【０００４】
また、ＧＵＩ（Graphical User Interface）を備えた市販の事務処理アプリケーション製品などでは、アイコン群からなるツールバーの機能を搭載している。そして、マウスで操作されるポインティングカーソル（マウスポインター）を、このツールバーのアイコン上に移動させることで当該アイコンに対してフォーカスを与えたり、マウスのクリックによってアイコンを選択することで、関連する機能を起動することができる。
【０００５】
特許文献１および特許文献２には、携帯電話装置の表示部に複数のアイコンを表示する場合において、表示中の全てのアイコンの中から選択された特定のアイコンの機能を説明するガイダンスを表示して、当該機能を実行する技術が開示されている。
【０００６】
上述のように、携帯電話の画面には色々なものが表示されるが、それらの意味がユーザは分からない場合がある。特に、ステータスペインと呼ばれる携帯電話の状態表示領域に表示されるアイコンは、表示を行うだけの静的オブジェクトである。
【０００７】
アイコンは意味や機能を図案化したオブジェクトであるため対応する機能や意味を類推可能な場合もあるが、マニュアルを参照しないと意味が分からないものもある。
たとえば、通信センター側からメール着信通知が到来したタイミングでメールの受信が失敗（通信圏外など）した場合に、通信センターに未受信のメールがあることを示すアイコンがステータスペインに表示される。しかし、このアイコンは、めったに表示されないため、ユーザは当該アイコンが表示された理由が分からず、また当該アイコンの消去方法も分からず困惑することがある。そのため、ユーザにアイコンの意味とその対処方法を示すことが望ましい。
【０００８】
パーソナルコンピュータのように、マウス等のポインティング機能を持つ場合は、通常領域（待受領域）だけでなくステータスペインに対してもマウスポインターを移動してフォーカスを与えることが容易にできる。
【０００９】
マウスのようなポインティング機能がない場合でも、ステータスペインのアイコンも通常領域のアイコンと同様にフォーカスを与えるようにすることはできる。すなわち、上述の特許文献１および特許文献２のように、特定のキー押下に同期してステータスペインおよび通常の表示領域の全てのアイコンを循環するようにフォーカスを移動させればよい。
【００１０】
しかし、上述のように、ステータスペインのアイコンの意味の表示や関連する機能の起動は頻繁に行うものではないため、利用頻度の高い通常領域のアイコンと変わりなくフォーカスできてしまうことは使い勝手上望ましくない。
【００１１】
すなわち、キー操作に同期したフォーカスのアイコン間の循環によって特定のアイコンを選択する場合、利用頻度の高い通常領域のアイコンまでフォーカスが到達するまでに、利用頻度の低いステータスペインのアイコンを経由する必要があり、キー操作の回数や所要時間が増大して操作性が低下する。
【特許文献１】特開平１０−２３１１７号公報
【特許文献２】特開２０００−３４９８８８号公報
【発明の開示】
【発明が解決しようとする課題】
【００１２】
本発明の目的は、利用頻度等の属性の異なる複数種のアイコン等のオブジェクトに対するフォーカス操作の操作性を向上させることが可能な技術を提供することにある。
本発明の他の目的は、利用頻度の低いアイコン等のオブジェクトに関する操作性を向上させることが可能な技術を提供することにある。
【課題を解決するための手段】
【００１３】
本発明の第１の観点は、表示手段と、
前記表示手段の主表示領域に表示される第１オブジェクト、および前記表示手段の状態表示領域に出力される第２オブジェクトの各々に対して選択的にフォーカスする複数の異なるフォーカスモードを設定する画面制御手段と、
を含む情報処理装置を提供する。
【００１４】
本発明の第２の観点は、第１オブジェクトが表示される主表示領域、および第２オブジェクトが表示される状態表示領域を表示手段に出力する第１ステップと、
前記主表示領域の前記第１オブジェクトおよび前記状態表示領域の前記第２オブジェクトのいずれか一方にフォーカスモードを切り替える第２ステップと、
を含む情報処理装置の制御方法を提供する。
【００１５】
本発明の第３の観点は、情報を表示する表示手段を含む情報処理装置の制御プログラムであって、
第１オブジェクトが表示される主表示領域、および第２オブジェクトが表示される状態表示領域を前記表示手段に出力する第１ステップと、
前記主表示領域の前記第１オブジェクトおよび前記状態表示領域の前記第２オブジェクトのいずれか一方にフォーカスモードを切り替える第２ステップと、
を前記情報処理装置に実行させる制御プログラムを提供する。
【００１６】
上記した本発明によれば、たとえば、マウスやマウスカーソル等のポインティング機能を持たない携帯電話等の情報処理装置において、通常の表示領域におけるオブジェクトに対するフォーカスモードとは別に、ステータスペインに表示されるアイコン等のオブジェクトにフォーカスを移すことを可能とするフォーカスモードを提供し、ステータスペインに表示されるアイコン等のオブジェクトの意味表示および、当該オブジェクトに関連する設定／処理が可能となる。
【００１７】
すなわち、本発明では、ポインティングカーソル（マウスカーソルなど）をもたない携帯電話等の情報処理装置の場合において、携帯電話特有の通常領域と状態表示領域（ステータスペイン）の双方に対して、カーソルキーによるオブジェクト選択移動型のフォーカス機能を実現するものである。通常領域とステータスペインの各々に対するフォーカスモードを別々に提供することにより、普段あまり使用しないステータスペイン側にフォーカスをしないようになるため、操作性が向上する。
【００１８】
また、一旦、ステータスペイン側にフォーカスモードが移行した後は、目的のアイコン等のオブジェクトにフォーカスして、当該オブジェクトに関する説明の表示、さらには、当該オブジェクトに関連する設定や機能の起動等の処理が可能になる。従って、利用頻度の低いステータスペイン側のオブジェクトの操作性も向上する。
【発明の効果】
【００１９】
本発明によれば、利用頻度等の属性の異なる複数種のアイコン等のオブジェクトに対するフォーカス操作の操作性を向上させることが可能となる。
また、利用頻度の低いアイコン等のオブジェクトに関する操作性を向上させることが可能となる。
【発明を実施するための最良の形態】
【００２０】
以下、図面を参照しながら、本発明の実施の形態について詳細に説明する。
図１は、本発明の一実施の形態である情報処理装置、情報処理装置の制御方法、制御プログラムの作用の一例を示す概念図である。
【００２１】
図２は、本実施の形態の情報処理装置の外観の一例を示す斜視図である。
図３は、本実施の形態の情報処理装置の構成の一例を示すブロック図である。
図４は、本実施の形態の情報処理装置に実装されるソフトウェアの構成の一例を示す概念図である。
【００２２】
まず、図２、図３、図４を参照して、本実施の形態の情報処理装置のハードウェアおよびソフトウェアの構成の一例について説明する。
本実施の形態では、情報処理装置の一例として、携帯電話１００に適用した場合を例に採って説明する。
【００２３】
図２および図３に例示されるように、本実施の形態の携帯電話１００は、マイクロプロセッサ１０１、主記憶１０２、不揮発メモリ１０３、ベースバンド処理部１０４、マイク１０５、スピーカ１０６、カメラ１０７、外部入出力インタフェース１０８、外部メディアスロット１０９、ディスプレイ１１０（表示手段）、キーボード１２０、を含んでいる。
【００２４】
マイクロプロセッサ１０１は、主記憶１０２に格納された後述のようなソフトウェア１５０を実行することで、携帯電話１００の全体を制御する。
主記憶１０２は、たとえばＲＡＭ等の記憶媒体で構成され、マイクロプロセッサ１０１が実行するソフトウェア１５０や、後述のステータスアイコン管理テーブル１７０、等の情報を保持する。
【００２５】
不揮発メモリ１０３は、書き換え可能な不揮発性記憶媒体で構成され、上述のソフトウェア１５０やステータスアイコン管理テーブル１７０が持久的に格納される。この不揮発メモリ１０３に格納されたソフトウェア１５０やデータは主記憶１０２にロードされ、主記憶１０２によって実行される。あるいは、不揮発メモリ１０３に格納されたデータがマイクロプロセッサ１０１によってアクセスされる。
【００２６】
ベースバンド処理部１０４は、たとえば、携帯電話１００における無線通信機能および通信プロトコルの制御を実現するハードウェアである。
マイク１０５は、通話時に送話器として機能する。
【００２７】
スピーカ１０６は、通話時に受話器として機能する。
カメラ１０７は、たとえば、携帯電話１００をテレビ電話として機能させる場合に、ユーザの映像を撮影する。
【００２８】
外部入出力インタフェース１０８は、たとえば、汎用シリアルバス（ＵＳＢ）、赤外線通信インタフェース（ＩｒＤＡ）、近距離無線通信インタフェース（ブルートゥース）等の通信インタフェースによって、外部との情報通信を行う。
【００２９】
外部メディアスロット１０９は、半導体メモリカード等の外付けの記憶媒体の装着に用いられる。
ディスプレイ１１０は、情報を可視化して表示する。
【００３０】
本実施の形態の場合、図１のノーマルモード画面１１０−０等に示されるように、ディスプレイ１１０の画面は、主表示領域１１１と、この主表示領域１１１の上端部に位置するステータスペイン１１３（状態表示領域）で構成されている。
【００３１】
主表示領域１１１には、たとえば、携帯電話１００の後述のアプリケーションプログラム１６０等に対応して設けられたアイコン１１２（第１オブジェクト）が表示される。そして、このアイコン１１２の一つを選択することで、対応するアプリケーションプログラム１６０が起動される。
【００３２】
図１の例では、主表示領域１１１の下端部に、アイコン１１２として不在着信件数アイコン１１２ａ、伝言メモアイコン１１２ｂ、留守電メッセージアイコン１１２ｃ、未読メールアイコン１１２ｄが表示されている。
【００３３】
ステータスペイン１１３には、携帯電話１００の状態を示す各種のステータスアイコン１１４（第２オブジェクト）が表示される。
図１のステータスペイン１１３の例では、ステータスアイコン１１４は、電池状態アイコン１１４ａ、電波状態アイコン１１４ｂ、メール未着信アイコン１１４ｃ、が表示されている。
【００３４】
キーボード１２０は、図２に例示されるように、カーソルキー１２１、決定キー１２２、数字キー１２３、ソフトキー１２４、クリアキー１２５等を備えている。
本実施の形態の携帯電話１００の場合、決定キー１２２を取り囲む上下左右に、上移動、下移動、左移動、右移動に対応した複数のカーソルキー１２１が配置されている。
【００３５】
また、ソフトキー１２４は、カーソルキー１２１を取り囲む位置に配置されている。
本実施の形態の場合、キーボード１２０は、ディスプレイ１１０に対して折り畳み可能に配置されている。
【００３６】
ディスプレイ１１０の側には受話器としてのスピーカ１０６およびカメラ１０７が配置され、キーボード１２０の側には、送話器としてのマイク１０５が配置されている。
本実施の形態の携帯電話１００を制御するソフトウェア１５０は、図４に例示されるように構成されている。
【００３７】
本実施の形態の場合、不揮発メモリ１０３には、ソフトウェア１５０として、オペレーティングシステム１５１、デバイスドライバ１５２、ミドルウェア１５３、無線制御プログラム１５４、およびアプリケーションプログラム１６０が、実装されている。
【００３８】
オペレーティングシステム１５１は、デバイスドライバ１５２を介して、上述のような各種ハードウェアを制御する。
無線制御プログラム１５４は、オペレーティングシステム１５１の配下でベースバンド処理部１０４を制御するソフトウェアである。
【００３９】
オペレーティングシステム１５１は、ミドルウェア１５３を介してアプリケーションプログラム１６０の実行を制御する。
本実施の形態の場合、主表示領域１１１とステータスペイン１１３の間における後述のような個別のフォーカス制御を実現するために、状態制御プログラム１５３ａ、画面制御プログラム１５３ｂが設けられている。
【００４０】
また、ミドルウェア１５３には、通信プロトコルの制御を行うためにデータ通信プログラム１５３ｃが設けられている。
アプリケーションプログラム１６０として、本実施の形態の場合、待受画面機能１６１、テレビ電話機能１６２、電話機能１６３、電話帳機能１６４、メーラ１６５、ブラウザ１６６、Ｊａｖａ実行環境１６７(Ｊａｖａ(登録商標))、が実装されている。
【００４１】
本実施の形態の場合、後述のような主表示領域１１１とステータスペイン１１３との間におけるフォーカスの切り替え制御は、待受画面機能１６１と、上述のミドルウェア１５３に含まれる画面制御プログラム１５３ｂ、状態制御プログラム１５３ａによって行われる。
【００４２】
すなわち、図５に例示されるように、待受画面機能１６１（画面制御手段、制御プログラム）は、後述の待受画面状態（ノーマルモード画面１１０−０）でのイベント待ち、イベント取得時の各種処理、待受画面表示を行う。ただし、実際の画面の描画は画面制御プログラム１５３ｂで行われる。
【００４３】
画面制御プログラム１５３ｂ（画面制御手段、制御プログラム）は、ステータスペイン１１３の表示等の実際の画面描画を受け持つ部分である。画面構成要素毎に描画処理がある。
【００４４】
状態制御プログラム１５３ａ（画面制御手段、制御プログラム）は、各種状態を管理する。ステータスペイン１１３に表示するステータスアイコン１１４に対応する状態もこの状態制御プログラム１５３ａで管理する。
【００４５】
以下、本実施の形態の作用の一例を説明する。
図１に例示されるように、本実施の形態の携帯電話１００では、待受画面（ノーマルモード画面１１０−０）の表示中のノーマルモードＭ０において、決定キー１２２の短時間の押下（短押）で通常のフォーカスモードＭ１（フォーカスモード画面１１０−１)に遷移し、決定キー１２２の長時間の押下（長押）でステータスペインフォーカスモードＭ２に遷移する。
【００４６】
クリアキー１２５の押下または、放置状態の時間経過によって、フォーカスモードＭ１またはステータスペインフォーカスモードＭ２から、ノーマルモードＭ０に復帰する。
なお、ノーマルモードＭ０では、待ち受け画面背景１１１ａと時計１１１ｂ、アイコン１１２、ステータスペイン１１３、が表示され、主表示領域１１１のアイコン１１２およびステータスペイン１１３のステータスアイコン１１４のいずれもフォーカスされていない。すなわち、後述のフォーカス枠１１５は存在しない。
【００４７】
フォーカスモードＭ１では、フォーカスモード画面１１０−１（待受画面）内のアイコン１１２（この場合、不在着信件数アイコン１１２ａ〜未読メールアイコン１１２ｄ）等へのフォーカスを行う。複数のアイコン１１２間のフォーカスの識別は、対象のアイコン１１２の周囲にフォーカス枠１１５を表示することで行われる。
【００４８】
このフォーカスモードＭ１中にカーソルキー１２１を押下することで、逐次、右側または左側の隣接するアイコン１１２にフォーカスが移動する。左端または右端でフォーカス移動を行うと、反対側の端部のアイコン１１２にフォーカス（フォーカス枠１１５の表示）が移動する。
【００４９】
本実施の形態の場合、このフォーカスモードＭ１は、ステータスペインフォーカスモードＭ２とは独立しているため、当該フォーカスモードＭ１においてステータスペイン１１３内のステータスアイコン１１４にフォーカスされることはない。
【００５０】
図１のフォーカスモード画面１１０−１の例では、未読メールアイコン１１２ｄがフォーカス枠１１５で囲まれており、当該未読メールアイコン１１２ｄがフォーカスされている。この状態で、決定キー１２２を押下すると、メーラ１６５が起動され未読メールの受信が実行される。
【００５１】
一方、ステータスペインフォーカスモードＭ２に遷移した場合には、図１のステータスペインフォーカスモード画面１１０−２に例示されるように、ステータスペイン１１３に表示されているステータスアイコン１１４の一つがフォーカスされ、フォーカス枠１１５が表示される。
【００５２】
このステータスペインフォーカスモード画面１１０−２の例では、ステータスペイン１１３内の電池状態アイコン１１４ａがフォーカス枠１１５で囲まれており、当該電池状態アイコン１１４ａがフォーカスされていることがわかる。
【００５３】
上述のように、このステータスペインフォーカスモードＭ２は、フォーカスモードＭ１とは独立であるため、当該ステータスペインフォーカスモードＭ２において、主表示領域１１１側のアイコン１１２がフォーカスされることはない。
【００５４】
さらに、本実施の形態の場合、ステータスペインフォーカスモードＭ２では、特定のステータスアイコン１１４がフォーカスされた状態が所定の時間だけ継続すると、当該ステータスアイコン１１４に対応した説明文が、バルーン１１６として自動的に表示される。
【００５５】
図１の例では、ステータスペインフォーカスモードＭ２において、電池状態アイコン１１４ａがフォーカスされた状態が所定時間継続したことにより、ステータスペインフォーカスモード画面１１０−３に例示されるように、「電池残量表示、十分残っています。マークを変更する場合は選択（この場合、たとえば決定キー１２２）を押してください」という説明文を表示するためのバルーン１１６が表示されている。
【００５６】
これにより、携帯電話１００のユーザは、電池状態アイコン１１４ａの意味および現在の状態で可能な処置、等を即座に知ることができる。
また、このステータスペインフォーカスモードＭ２において、ステータスペインフォーカスモード画面１１０−３の状態から、右側のカーソルキー１２１の２回の押下で、メール未着信アイコン１１４ｃがフォーカス枠１１５に囲まれてフォーカスされ、このフォーカスされた状態で所定の時間が経過すると、「未読メールあり、受信メール一覧を表示する場合は選択（この場合、決定キー１２２）を押してください」という説明文を含むバルーン１１６が表示される。
【００５７】
以下、上述の本実施の形態の携帯電話１００の作用を、図６、図７、図８、図９、図１０、図１１、図１２のフローチャートを参照して説明する。
なお、以下の説明では、ノーマルモードＭ０〜ステータスペインフォーカスモードＭ２を判別する変数として“Ｍａｃｈｉｕｋｅ−ｓｔａｔｅ”を用いる。
【００５８】
また、主表示領域１１１のアイコン１１２、およびステータスペイン１１３のステータスアイコン１１４に対するフォーカス位置を管理する変数として“ｆｏｃｕｓ−ｃｕｒｓｏｒ”を用いる。
【００５９】
このＭａｃｈｉｕｋｅ−ｓｔａｔｅは、ノーマルモードＭ０に対応した“ｎｏｒｍａｌ”、フォーカスモードＭ１に対応した“ｆｏｃｕｓ”、ステータスペインフォーカスモードＭ２に対応した“ｓｔａｔｕｓ−ｐａｎｅ”の三つの状態のいずれかを示す。
【００６０】
まず、図１のノーマルモード画面１１０−０の状態で、キーボード１２０の操作に対応した発生するキーイベントを待つ（ステップ３０１）。
そして、キーイベントが検出されると、Ｍａｃｈｉｕｋｅ−ｓｔａｔｅの状態を判別する（ステップ３０２）。
【００６１】
そして、Ｍａｃｈｉｕｋｅ−ｓｔａｔｅがｎｏｒｍａｌ、すなわちノーマルモードＭ０と判定された場合には、まず、決定キー１２２の長押を判別する（ステップ３０３）。
そして、長押と判定された場合には、まずＭａｃｈｉｕｋｅ−ｓｔａｔｅにｓｔａｔｕｓ−ｐａｎｅを設定し（ステップ３２１）、バルーン１１６の表示タイミングを管理するためのタイマー設定を行う（ステップ３２２）。
【００６２】
さらに、ｆｏｃｕｓ−ｃｕｒｓｏｒを０に初期化し（ステップ３２３）、後述の図８のフローチャートに例示される待受画面表示処理４００を実行する（ステップ３２４）。
上述のステップ３０３で決定キー１２２の長押でないと判定された場合には、決定キー１２２の短押か否かを判別する（ステップ３０４）。
【００６３】
そして、決定キー１２２の短押と判定された場合には、Ｍａｃｈｉｕｋｅ−ｓｔａｔｅをｆｏｃｕｓに設定し（ステップ３１８）、ｆｏｃｕｓ−ｃｕｒｓｏｒを０に初期化して（ステップ３１９）、待受画面表示処理４００を実行する（ステップ３２０）。
【００６４】
ステップ３０４で短押でないと判定された場合には、カーソルキー１２１の操作か否かを判別し（ステップ３０５）、カーソルキー１２１が操作されたと判定された場合には、対応する機能を起動する（ステップ３１５）。
【００６５】
ステップ３０５でカーソルキー１２１の操作でないと判定された場合には、ソフトキー１２４の操作か否かを判別し（ステップ３０６）、ソフトキー１２４の操作と判定された場合には、対応する機能を起動する（ステップ３１６）。
【００６６】
ステップ３０６でソフトキー１２４の操作でないと判定された場合には、数字キー１２３の操作か否かを判別し（ステップ３０７）、数字キー１２３の操作と判定された場合にはテレビ電話機能１６２、電話機能１６３等の電話アプリケーションプログラムを起動する（ステップ３１７）。
【００６７】
ステップ３０７で数字キー１２３の操作でないと判定された場合には、ステップ３０１のキーイベント待ちに戻る（ステップ３０８）。
上述のステップ３０２でＭａｃｈｉｕｋｅ−ｓｔａｔｅがｆｏｃｕｓと判定された場合、すなわちフォーカスモードＭ１の場合には、まず、カーソルキー１２１の操作か否かを判別し（ステップ３０９）、カーソルキー１２１の操作と判定された場合には、ｆｏｃｕｓ−ｃｕｒｓｏｒをカーソルキー１２１の押下回数に応じて加減算する（ステップ３１２）。
【００６８】
本実施の形態の場合、一例として、左右方向のカーソルキー１２１の操作を仮定し、右側のカーソルキー１２１の押下でｆｏｃｕｓ−ｃｕｒｓｏｒの加算、左側のカーソルキー１２１の押下でｆｏｃｕｓ−ｃｕｒｓｏｒの減算を行うものとする。
【００６９】
その後、待受画面表示処理４００を実行する（ステップ３１３）。
上述のステップ３０９でカーソルキー１２１の操作でない判定された場合には、決定キー１２２の操作か否かを判別し（ステップ３１０）、決定キー１２２が押下されたと判定された場合には、後述のように、ｆｏｃｕｓ−ｃｕｒｓｏｒの値が示すアイコン１１２（オブジェクト）に対応するアプリケーションや機能を起動する（ステップ３１４）。
【００７０】
ステップ３１０で決定キー１２２の操作ではないと判定された場合には、ステップ３０１のキーイベント待ちに戻る（ステップ３１１）。
上述のステップ３０２でＭａｃｈｉｕｋｅ−ｓｔａｔｅがｓｔａｔｕｓ−ｐａｎｅの場合、すなわちステータスペインフォーカスモードＭ２の場合には、まず、バルーン１１６の表示タイミングを制御するためのタイマーを解除し（ステップ３２５）、既存のバルーン１１６の表示がある場合には消去する（ステップ３２６）。
【００７１】
その後、カーソルキー１２１の操作か否かを判別し（ステップ３２７）、カーソルキー１２１の操作であると判定された場合には、上述のステップ３１２の場合と同様に、カーソルキー１２１の操作に対応してｆｏｃｕｓ−ｃｕｒｓｏｒの値を制御する（ステップ３３１）。
【００７２】
そして、タイマーの再設定を実行し（ステップ３３２）、待受画面表示処理４００を実行する（ステップ３３３）。
上述のステップ３２７でカーソルキー１２１の操作でないと判定された場合には、決定キー１２２の操作か否かを判定し（ステップ３２８）、決定キー１２２の操作と判定された場合には、ステータスペイン１１３において、ｆｏｃｕｓ−ｃｕｒｓｏｒの値に対応したステータスアイコン１１４に対応する機能を起動する（ステップ３３４）。
【００７３】
ステップ３２８で決定キー１２２の操作でないと判定された場合には、タイマーの再設定を実行し（ステップ３２９）、ステップ３０１のキーイベント待ちに戻る（ステップ３３０）。
【００７４】
なお、図７のフローチャートに例示されるように、上述のようにして設定されたタイマーの設定時間が経過すると、タイマーイベントが発生し（ステップ３４１）、このタイマーイベントに対応して、現在のｆｏｃｕｓ−ｃｕｒｓｏｒの値が示す位置（本実施の形態の場合、後述のアイコンＩＤ１７１）に対応するステータスアイコン１１４に対応するバルーン１１６を表示するために、後述の説明バルーン表示処理６００を実行する（ステップ３４２）。
【００７５】
図８は、上述の待受画面表示処理４００の一例を示すフローチャートである。この待受画面表示処理４００では、主表示領域１１１に対して、待ち受け画面背景１１１ａを表示し（ステップ４０１）、ステータスペイン表示処理５００を実行し（ステップ４０２）、時計１１１ｂを表示し（ステップ４０３）、待ち受けオブジェクトであるアイコン１１２を表示する（ステップ４０４）。
【００７６】
図９は、ステータスペイン表示処理５００の一例を示すフローチャートである。
ステータスペイン表示処理５００では、ステータスペイン１１３内にステータスアイコン１１４を表示する（ステップ５０１）。
【００７７】
そして、Ｍａｃｈｉｕｋｅ−ｓｔａｔｅがｓｔａｔｕｓ−ｐａｎｅか否か、すなわちステータスペインフォーカスモードＭ２か否かを判別し（ステップ５０２）、ステータスペインフォーカスモードＭ２でない場合にはなにもしない。
【００７８】
一方、ステップ５０２でステータスペインフォーカスモードＭ２と判定された場合には、ｆｏｃｕｓ−ｃｕｒｓｏｒ値補正処理７００を実行し（ステップ５０３）、フォーカス枠１１５を、対応するステータスアイコン１１４の周囲に表示する（ステップ５０４）。
【００７９】
図１０は、ｆｏｃｕｓ−ｃｕｒｓｏｒ値補正処理７００の一例を示すフローチャートである。図１１は、ステータスペイン１１３における複数のステータスアイコン１１４の配列状態を示す概念図である。図１１に示されるように、以下の説明におけるＭＡＸ＿ＮＵＭＢＥＲはステータスペイン１１３に表示中のステータスアイコン１１４の個数の最大値である。
【００８０】
このｆｏｃｕｓ−ｃｕｒｓｏｒ値補正処理７００では、ｆｏｃｕｓ−ｃｕｒｓｏｒの値を、ステータスペイン１１３に表示中のステータスアイコン１１４の位置に補正するために以下の処理を行う。
【００８１】
すなわち、ｆｏｃｕｓ−ｃｕｒｓｏｒが０のときは、存在するステータスアイコン１１４の中で最も左側のものに設定しなおす。何もステータスアイコン１１４がない場合はｆｏｃｕｓ−ｃｕｒｓｏｒを０とする。以前指定していたステータスアイコン１１４がなくなった場合は、そこに一番近い左側のステータスアイコン１１４に設定しなおす。
【００８２】
ｆｏｃｕｓ−ｃｕｒｓｏｒ値補正処理７００では、ｆｏｃｕｓ−ｃｕｒｓｏｒが０か否かを判別する（ステップ７０１）。そして、ｆｏｃｕｓ−ｃｕｒｓｏｒが０でないと判定された場合には、ｆｏｃｕｓ−ｃｕｒｓｏｒの値が示す位置にステータスアイコン１１４が存在するか判別し（ステップ７０２）、存在しない場合には、ｆｏｃｕｓ−ｃｕｒｓｏｒの値を１だけ減算し（ステップ７０３）、ステップ７０１に戻る。
【００８３】
ステップ７０１でｆｏｃｕｓ−ｃｕｒｓｏｒが０であると判定された場合には、ｆｏｃｕｓ−ｃｕｒｓｏｒに１を加算する（ステップ７０４）。
そして、ｆｏｃｕｓ−ｃｕｒｓｏｒがＭＡＸ＿ＮＵＭＢＥＲを超過した（すなわちステータスアイコン１１４の配列の右端を超えた）か否かを判別する（ステップ７０５）。
【００８４】
そして、ｆｏｃｕｓ−ｃｕｒｓｏｒがＭＡＸ＿ＮＵＭＢＥＲを超過してないと判定された場合は、現在のｆｏｃｕｓ−ｃｕｒｓｏｒに対応する位置にステータスアイコン１１４が存在するか否かを判別し（ステップ７０６）、存在しない場合には、上述のステップ７０４に戻る。
【００８５】
このステップ７０６でｆｏｃｕｓ−ｃｕｒｓｏｒに対応する位置にステータスアイコン１１４が存在すると判定された場合には、ｆｏｃｕｓ−ｃｕｒｓｏｒ値補正処理７００を終了する。
【００８６】
上述のステップ７０５でｆｏｃｕｓ−ｃｕｒｓｏｒがＭＡＸ＿ＮＵＭＢＥＲを超過したと判定された場合には、ｆｏｃｕｓ−ｃｕｒｓｏｒを０に設定して（ステップ７０７）、ｆｏｃｕｓ−ｃｕｒｓｏｒ値補正処理７００を終了する。
【００８７】
図１２は、説明バルーン表示処理６００の一例を示す説明図である。
この説明バルーン表示処理６００は、上述の図７のステップ３４２において、タイマーイベントの検出時に実行される。
【００８８】
この説明バルーン表示処理６００では、ステータスアイコン管理テーブル１７０を使用する。このステータスアイコン管理テーブル１７０には、状態値１７２、説明文１７３、関連機能ポインタ１７４の情報が、アイコンＩＤ１７１に対応付けられて格納されている。
【００８９】
これにより、一つのステータスアイコン１１４において、異なる状態毎に、その状態に対応した説明文１７３を表示できるとともに、関連機能ポインタ１７４が指し示すプログラムを実行することが可能となっている。
【００９０】
説明バルーン表示処理６００では、まず、ｆｏｃｕｓ−ｃｕｒｓｏｒの値に対応するステータスアイコン１１４の状態を、ミドルウェア１５３の状態制御プログラム１５３ａから取得し（ステップ６０１）、アイコンＩＤ１７１、状態値１７２を元に、説明文１７３をステータスアイコン管理テーブル１７０から取り出す（ステップ６０２）。
【００９１】
そして、図１のステータスペインフォーカスモード画面１１０−３、ステータスペインフォーカスモード画面１１０−４のように、フォーカスされ、フォーカス枠１１５を持つステータスアイコン１１４から伸びるバルーン１１６に、ステップ６０２で取り出した説明文１７３を表示する。
【００９２】
以上説明したように、本実施の形態によれば、携帯電話１００において、ディスプレイ１１０の主表示領域１１１に表示されるアイコン１１２と、ステータスペイン１１３に表示されるステータスアイコン１１４に対して、独立のフォーカスモードＭ１およびステータスペインフォーカスモードＭ２が設けられている。そして、常時使用されるアイコン１１２と、比較的使用頻度の低いステータスアイコン１１４の各々に対するフォーカス枠１１５を利用したフォーカス操作が独立に行われるようしている。
【００９３】
これにより、たとえば、アイコン１１２とステータスアイコン１１４を共通のフォーカスモードで一律にフォーカス操作する場合に比較して、使用頻度の高いアイコン１１２の側における操作性が格段に向上する。
【００９４】
すなわち、利用頻度等の属性の異なる複数種の、アイコン１１２、ステータスアイコン１１４等のオブジェクトに対するフォーカス操作の操作性を向上させることができる。
また、ステータスペインフォーカスモードＭ２では、比較的使用頻度の低いステータスアイコン１１４に対するフォーカスが可能であるため、たとえばタイマー設定によってフォーカス中のステータスアイコン１１４に関する説明文１７３をバルーン１１６によって自動的に表示させることができる。
【００９５】
これにより、携帯電話１００のユーザは自分にとって意味がよく判らない使用頻度の低いステータスアイコン１１４にフォーカスさせるだけで、当該ステータスアイコン１１４の意味や、実行可能な機能を容易に知ることができる。
【００９６】
また、ステータスアイコン１１４にフォーカスさせて決定キー１２２を押下することで、当該ステータスアイコン１１４に対応した機能を実行させることができる。
すなわち、ステータスペイン１１３に表示される使用頻度の比較的低いステータスアイコン１１４を、携帯電話１００のユーザが確実に理解でき適切な対処を行うことが可能になる。
【００９７】
従って、利用頻度の低いステータスアイコン１１４等のオブジェクトに関する操作性を向上させることが可能となる。
なお、本発明は、上述の実施の形態に例示した構成に限らず、その趣旨を逸脱しない範囲で種々変更可能であることは言うまでもない。
【００９８】
（付記１）
表示手段と、
前記表示手段の主表示領域に表示される第１オブジェクト、および前記表示手段の状態表示領域に出力される第２オブジェクトの各々に対して選択的にフォーカスする複数の異なるフォーカスモードを設定する画面制御手段と、
を含むことを特徴とする情報処理装置。
（付記２）
付記１記載の情報処理装置において、
前記画面制御手段は、前記状態表示領域の前記第２オブジェクトに対する前記フォーカスモードでは、フォーカスされた前記第２オブジェクトに関する説明の表示を行うことを特徴とする情報処理装置。
（付記３）
付記１記載の情報処理装置において、
前記画面制御手段は、前記状態表示領域の前記第２オブジェクトに対する前記フォーカスモードでは、フォーカスされた前記第２オブジェクトに対する選択操作によって当該第２オブジェクトに関連する機能の設定または起動を行うことを特徴とする情報処理装置。
（付記４）
付記１記載の情報処理装置において、
さらに、情報入力のための操作キーを含み、
前記画面制御手段は、前記操作キーの押下時間の長短に応じて、前記主表示領域と前記状態表示領域との間における前記フォーカスモードの切り替えを行うことを特徴とする情報処理装置。
（付記５）
付記１記載の情報処理装置において、
さらに、情報入力のための操作キーを含み、
前記画面制御手段は、前記状態表示領域の前記第２オブジェクトに対する前記フォーカスモードでは、前記操作キーの押下に呼応して複数の前記第２オブジェクトの間でフォーカスを移動させることを特徴とする情報処理装置。
（付記６）
第１オブジェクトが表示される主表示領域、および第２オブジェクトが表示される状態表示領域を表示手段に出力する第１ステップと、
前記主表示領域の前記第１オブジェクトおよび前記状態表示領域の前記第２オブジェクトのいずれか一方にフォーカスモードを切り替える第２ステップと、
を含むことを特徴とする情報処理装置の制御方法。
（付記７）
付記６記載の情報処理装置の制御方法において、
前記状態表示領域の前記第２オブジェクトに対する前記フォーカスモードでは、フォーカスされた前記第２オブジェクトに関する説明の表示を行うことを特徴とする情報処理装置の制御方法。
（付記８）
付記６記載の情報処理装置の制御方法において、
前記状態表示領域の前記第２オブジェクトに対する前記フォーカスモードでは、フォーカスされた前記第２オブジェクトに対する選択操作によって当該第２オブジェクトに関連する機能の設定または起動を行うことを特徴とする情報処理装置の制御方法。
（付記９）
付記６記載の情報処理装置の制御方法において、
前記第２ステップでは、操作キーの押下時間の長短に応じて、前記主表示領域と前記状態表示領域との間における前記フォーカスモードの切り替えを行うことを特徴とする情報処理装置の制御方法。
（付記１０）
付記６記載の情報処理装置の制御方法において、
前記状態表示領域の前記第２オブジェクトに対する前記フォーカスモードでは、操作キーの押下に呼応して複数の前記第２オブジェクトの間でフォーカスを移動させることを特徴とする情報処理装置の制御方法。
（付記１１）
情報を表示する表示手段を含む情報処理装置の制御プログラムであって、
第１オブジェクトが表示される主表示領域、および第２オブジェクトが表示される状態表示領域を前記表示手段に出力する第１ステップと、
前記主表示領域の前記第１オブジェクトおよび前記状態表示領域の前記第２オブジェクトのいずれか一方にフォーカスモードを切り替える第２ステップと、
を前記情報処理装置に実行させることを特徴とする制御プログラム。
（付記１２）
付記１１記載の制御プログラムにおいて、
前記状態表示領域の前記第２オブジェクトに対する前記フォーカスモードでは、フォーカスされた前記第２オブジェクトに関する説明の表示を前記情報処理装置に行わせることを特徴とする制御プログラム。
（付記１３）
付記１１記載の制御プログラムにおいて、
前記状態表示領域の前記第２オブジェクトに対する前記フォーカスモードでは、フォーカスされた前記第２オブジェクトに対する選択操作によって当該第２オブジェクトに関連する機能の設定または起動を前記情報処理装置に行わせることを特徴とする制御プログラム。
（付記１４）
付記１１記載の制御プログラムにおいて、
前記第２ステップでは、前記情報処理装置に備えられた操作キーの押下時間の長短に応じて、前記主表示領域と前記状態表示領域との間における前記フォーカスモードの切り替えを前記情報処理装置に行わせることを特徴とする制御プログラム。
（付記１５）
付記１１記載の制御プログラムにおいて、
前記状態表示領域の前記第２オブジェクトに対する前記フォーカスモードでは、前記情報処理装置に備えられた操作キーの押下に呼応して複数の前記第２オブジェクトの間でフォーカスを移動させる動作を前記情報処理装置に行わせることを特徴とする制御プログラム。
【図面の簡単な説明】
【００９９】
【図１】本発明の一実施の形態である情報処理装置、情報処理装置の制御方法、制御プログラムの作用の一例を示す概念図である。
【図２】本発明の一実施の形態である情報処理装置の外観の一例を示す斜視図である。
【図３】本発明の一実施の形態である情報処理装置の構成の一例を示すブロック図である。
【図４】本発明の一実施の形態である情報処理装置に実装されるソフトウェアの構成の一例を示す概念図である。
【図５】本発明の一実施の形態である情報処理装置に実装されるソフトウェアの階層関係および作用の一例を示す概念図である。
【図６】本発明の一実施の形態である情報処理装置における複数のフォーカスモードの作用の一例を示すフローチャートである。
【図７】本発明の一実施の形態である情報処理装置のタイマーイベント処理の一例を示すフローチャートである。
【図８】本発明の一実施の形態である情報処理装置の待受画面表示処理の一例を示すフローチャートである。
【図９】本発明の一実施の形態である情報処理装置のステータスペイン表示処理の一例を示すフローチャートである。
【図１０】本発明の一実施の形態である情報処理装置のｆｏｃｕｓ−ｃｕｒｓｏｒ値補正処理の一例を示すフローチャートである。
【図１１】本発明の一実施の形態である情報処理装置のステータスペインにおける複数のステータスアイコンの配列状態を示す概念図である。
【図１２】本発明の一実施の形態である情報処理装置における説明バルーン表示処理の一例を示す説明図である。
【符号の説明】
【０１００】
１００  携帯電話
１０１  マイクロプロセッサ
１０２  主記憶
１０３  不揮発メモリ
１０４  ベースバンド処理部
１０５  マイク
１０６  スピーカ
１０７  カメラ
１０８  外部入出力インタフェース
１０９  外部メディアスロット
１１０  ディスプレイ
１１０−０  ノーマルモード画面
１１０−１  フォーカスモード画面
１１０−２  ステータスペインフォーカスモード画面
１１０−３  ステータスペインフォーカスモード画面
１１０−４  ステータスペインフォーカスモード画面
１１１  主表示領域
１１１ａ  待ち受け画面背景
１１１ｂ  時計
１１２  アイコン
１１２ａ  不在着信件数アイコン
１１２ｂ  伝言メモアイコン
１１２ｃ  留守電メッセージアイコン
１１２ｄ  未読メールアイコン
１１３  ステータスペイン
１１４  ステータスアイコン
１１４ａ  電池状態アイコン
１１４ｂ  電波状態アイコン
１１４ｃ  メール未着信アイコン
１１５  フォーカス枠
１１６  バルーン
１２０  キーボード
１２１  カーソルキー
１２２  決定キー
１２３  ダイヤルキー
１２４  ソフトキー
１２５  クリアキー
１５０  ソフトウェア
１５１  オペレーティングシステム
１５２  デバイスドライバ
１５３  ミドルウェア
１５３ａ  状態制御プログラム
１５３ｂ  画面制御プログラム
１５３ｃ  データ通信プログラム
１５４  無線制御プログラム
１６０  アプリケーションプログラム
１６１  待受画面機能
１６２  テレビ電話機能
１６３  電話機能
１６４  電話帳機能
１６５  メーラ
１６６  ブラウザ
１６７  Ｊａｖａ実行環境
１７０  ステータスアイコン管理テーブル
１７１  アイコンＩＤ
１７２  状態値
１７３  説明文
１７４  関連機能ポインタ
４００  待受画面表示処理
５００  ステータスペイン表示処理
６００  説明バルーン表示処理
７００  ｆｏｃｕｓ−ｃｕｒｓｏｒ値補正処理
Ｍ０  ノーマルモード
Ｍ１  フォーカスモード
Ｍ２  ステータスペインフォーカスモード
【図３】
2007188265.tif 000003
【図４】
2007188265.tif 000004
【図５】
2007188265.tif 000005
【図６】
2007188265.tif 000006
【図７】
2007188265.tif 000007
【図８】
2007188265.tif 000008
【図９】
2007188265.tif 000009
【図１０】
2007188265.tif 000010
【図１２】
2007188265.tif 000011
【図１】
2007188265.tif 000012
【図２】
2007188265.tif 000013
【図１１】
2007188265.tif 000014